(57)【要約】【課題】同一の設定メニューにおいて設定操作をやり直す場合に、少数の操作により簡単かつ短時間に設定操作を行えるようにし、これにより操作性のさらなる向上を図る。【解決手段】階層化された複数のメニュー画面の一つが表示されている状態で、調整スイッチ群１５のチェックボタンが操作されると、上記表示中のメニュー画面をショートカットメニューとしてメモリ３３に記憶する。また、メニュー画面が非表示の状態でファンクションボタン２１が押下された場合に、メモリ３３に上記ショートカットメニューが記憶されているか否かを判定する。そして、ショートカットメニューが記憶されていない場合には、通常通り最上位階層のメニュー画面をビューファインダ１３に表示させ、一方上記ショートカットメニューが記憶されている場合には、上記メモリ３３に記憶されたメニュー画面をビューファインダ１３に表示させる。【選択図】      図３
2006101172.tif 000002
【特許請求の範囲】
【請求項１】
操作部及び表示部を有し、撮像機能を設定するための複数のメニューを階層の異なる複数のメニュー画面に分割し、これらのメニュー画面を前記操作部によるメニュー選択操作に応じて選択的に前記表示部に表示する撮像装置において、
前記複数のメニュー画面の一つが表示されている状態で、前記操作部において予め定められた登録操作が行われた場合に、前記表示中のメニュー画面をショートカットメニューとして登録する手段と、
前記メニュー画面が非表示の状態で前記操作部により撮像機能の設定開始操作が行われた場合に、前記ショートカットメニューが登録されているか否かを判定する手段と、
前記判定の結果、ショートカットメニューが登録されていない場合には前記複数のメニュー画面のうち最上位階層のメニュー画面を前記表示部に表示し、一方前記ショートカットメニューが登録されている場合には前記登録されたメニュー画面を前記表示部に表示する手段と
を具備することを特徴とする撮像装置。
【発明の詳細な説明】
【技術分野】
【０００１】
この発明は、テレビジョンカメラなどの撮像装置に係わり、特に撮像機能の各種設定を複数のメニューの中から所望のメニューを選択することにより行う撮像装置に関する。
【背景技術】
【０００２】
一般に業務用のテレビジョンカメラは撮像機能の設定項目が多く、また設定内容が複雑である。そこで従来では、例えばテレビジョンカメラの撮像条件を設定するためのディスプレイ上に選択肢を表示し、その選択肢を操作者に選択させることによって上記テレビジョンカメラの撮像条件を変更するようにしたシステムが提案されている（例えば、特許文献１を参照。）。
【特許文献１】特開平１１−１７７９７３号公報
【発明の開示】
【発明が解決しようとする課題】
【０００３】
ところが、一般にこの種の従来の装置では、選択肢の選択操作により撮像条件の設定が終了すると通常の動作モードに復帰する。そして、この状態で再度同じ設定項目において撮像条件を設定し直す場合には、階層的に表示される複数のメニューを順次選択して所望の設定項目を表示させる必要がある。例えば、先ず機能ボタンを押下して初期メニューを表示させ、この初期メニューの中から所望のメニューを選択してサブメニューを表示させる。そして、このサブメニューの中からさらに該当するサブメニューを選択することにより目的の設定項目の選択肢を表示させ、この画面において選択肢を選択操作する。このため、所望の設定項目に係わる選択肢が表示されるまでに多数のメニュー選択操作が必要となり、設定のやり直しに手間と時間がかかるという問題がある。
【０００４】
この発明は上記事情に着目してなされたもので、その目的とするところは、同一の設定メニューにおいて設定操作をやり直す場合に、少数の操作により簡単かつ短時間に設定操作を行えるようにし、これにより操作性のさらなる向上を図った撮像装置を提供することにある。
【課題を解決するための手段】
【０００５】
上記目的を達成するためにこの発明は、操作部及び表示部を有し、撮像機能を設定するための複数のメニューを階層の異なる複数のメニュー画面に分割し、これらのメニュー画面を上記操作部によるメニュー選択操作に応じて選択的に上記表示部に表示する撮像装置において、上記複数のメニュー画面の一つが表示されている状態で、上記操作部において予め定められた登録操作が行われた場合に、上記表示中のメニュー画面をショートカットメニューとして登録する。そして、上記メニュー画面が非表示の状態で上記操作部により撮像機能の設定開始操作が行われた場合に、上記ショートカットメニューが登録されているか否かを判定し、ショートカットメニューが登録されていないと判定された場合には上記複数のメニュー画面のうち最上位階層のメニュー画面を表示部に表示し、一方上記ショートカットメニューが登録されていると判定された場合には上記登録されたメニュー画面を表示部に表示するようにしたものである。
【０００６】
したがってこの発明によれば、任意の設定メニューにおける設定操作時において設定者が登録操作を行うと、当該設定メニューの表示画面がショートカットメニューとして記憶される。そして、設定者が上記設定メニューにおける設定をやり直すべく撮像機能の設定開始操作を行うと、上記ショートカットメニューとして記憶されたメニュー表示画面が即時に表示される。このため、一度設定した設定メニューについて設定のやり直しを行う際に、設定者は所望の設定メニューが表示されるまでに多数のメニュー選択操作を行う必要がなくなり、これにより設定のやり直しを簡単かつ短時間に行うことができる。
【発明の効果】
【０００７】
要するに、この発明によれば、同一の設定メニューにおいて設定操作をやり直す場合に、少数の操作により簡単かつ短時間に設定操作を行えるようになり、これにより操作性のさらなる向上を図った撮像装置を提供することができる。
【発明を実施するための最良の形態】
【０００８】
図１は、この発明に係わる撮像装置の一実施形態であるデジタルテレビジョンカメラを示す外観図である。テレビジョンカメラ１は、本体１１にレンズ群１２及びビューファインダ１３を装着したものとなっている。本体１１には、メニュー操作器１４と、調整スイッチ群１５と、外部入力／出力端子群１６が設けられている。
【０００９】
メニュー操作器１４には、図２に示すようにファンクションボタン２１と、上ボタン２２、下ボタン２３、右ボタン２４及び左ボタン２５からなるメニュー選択キーと、ファンクション切替スイッチ群２６が設けられている。このうちファンクションボタン２１は、ファンクションメニューを表示するときや選択されたメニューを決定するときに使用される。メニュー選択キーは、表示されたメニューの中から所望のメニューを選択するときに使用される。  
なお、調整スイッチ群１５は、ホワイトバランスを調整するためのスイッチや、現在設定中の撮像条件等をチェックするためのチェックボタン等により構成される。
【００１０】
ところで、テレビジョンカメラ１の回路部は次のように構成される。図３はその構成を示すブロック図である。すなわち、固体撮像素子（ＣＣＤ；Charge Coupled Device）１２により取り込まれた映像信号は、映像信号処理回路３１において画質等を調整するための映像信号処理が施されたのち、合成器３５に供給される。
【００１１】
一方、メニュー操作器１４における操作情報は、中央処理ユニット（ＣＰＵ；Central Processing Unit）３２に取り込まれる。ＣＰＵ３２は、上記入力された操作情報に応じてメモリ３３から対応するメニュー画面の表示データを読み出し、この読み出されたメニュー画面の表示データをキャラクタジェネレータ３４に与える。キャラクタジェネレータ３４は、上記与えられたメニュー画面の表示データに応じて文字データを生成し、この生成された文字データを上記合成器３５へ出力する。
【００１２】
合成器３５は、上記映像信号処理回路３１から出力された映像データに上記キャラクタジェネレータ３４から出力されたメニュー画面を表す文字データを合成し、この文字データが合成された映像データを映像信号出力回路３６へ出力する。映像信号出力回路３６は、上記文字データが合成された映像データをビューファインダ１３に供給して表示させる。なお、出力端子１６の一つに外部モニタ１７（図１では図示せず）が接続されている場合には、上記映像信号出力回路３６は上記文字データが合成された映像データを上記外部モニタ１７にも供給して表示させる。
【００１３】
ところで、ＣＰＵ３２はこの発明に係わる新たな制御機能として、ショートカットメニューの登録制御機能と、ショートカットメニューの表示制御機能を備えている。なお、これらの制御機能はいずれも、メモリ３３に格納されたアプリケーション・プログラムをＣＰＵ３２に実行させることにより実現される。
【００１４】
ショートカットメニューの登録制御機能は、階層化された複数のメニュー画面の一つが表示されている状態で、予め定められたスイッチによる登録操作が行われた場合に、上記表示中のメニュー画面をショートカットメニューとしてメモリ３３に記憶する。上記登録操作に使用するスイッチとしては、メニュー画面による機能設定動作中には使用されない調整スイッチ群１５のうちの一つ、例えばホワイトバランス調整用のスイッチ、又は現在設定中の撮像条件等をチェックするためのチェックボタンが使用される。
【００１５】
ショートカットメニューの表示制御機能は、メニュー画面が非表示の状態でメニュー操作器１４のファンクションボタン２１が押下された場合に、メモリ３３に上記ショートカットメニューが記憶されているか否かを判定する。そして、ショートカットメニューが記憶されていないと判定された場合には、通常通り複数のメニュー画面のうち最上位階層のメニュー画面を選択してビューファインダ１３に表示させる。一方、上記ショートカットメニューが記憶されていると判定された場合には、上記メモリ３３に記憶されたメニュー画面を選択してビューファインダ１３に表示させる。
【００１６】
次に、以上のように構成された装置によるメニュー表示動作を説明する。図５はショートカットメニュー登録制御の手順と内容を示すフローチャート、図６はショートカットメニュー表示制御の手順と内容を示すフローチャートである。  
メニュー画面は階層構造をなす。例えば、図４に示すようにメインメニュー画面Ｍ１〜Ｍ４と、これらのメインメニュー画面Ｍ１〜Ｍ４から分岐される複数のサブメニュー画面Ｓ１１〜Ｓ４５とから構成される。
【００１７】
撮像条件等の機能の設定を行うために、設定者がメニュー操作器１４のファンクションボタン２１を押下したとする。そうすると、先ず初期状態では、上記階層化された複数のメニュー画面のうち最上位階層に位置するメインメニュー画面Ｍ１がメモリ３３から読み出されてビューファインダ１３に表示される。この状態で、設定者がメニュー操作器１４の右ボタン２４又は左ボタン２５を押下すると、その操作ごとにメインメニュー画面Ｍ１〜Ｍ４が順次メモリ３３から読み出されてビューファインダ１３に表示される。
【００１８】
各メニュー画面は、１行目のメニュータイトルと、２行目以降の複数のメニュー項目とから構成される。これらメニュータイトル又は複数のメニュー項目の先頭位置にはカーソル（図中の黒四角）が表示される。このカーソルは、メニュー操作器１４の上ボタン２２又は下ボタン２３の押下により上下に移動する。そして、カーソルが目的とするメニュー項目に移動した状態で、メニュー操作器１４の右ボタン２４又は左ボタン２５が押下されると、当該メニュー項目の機能が設定される。また、矢印（―＞）が表示されているメニュー項目にカーソルが表示された状態で右ボタン２４が押下されると、サブメニュー画面Ｓ１１〜Ｓ４５が選択的にビューファインダ１３に表示される。そして、この状態で上ボタン２２又は下ボタン２３が押下されるとカーソルが上下に移動し、さらにカーソルが目的とする設定内容に移動したところで右ボタン２４又は左ボタン２５が押下されると、当該サブメニュー項目の機能が設定される。
【００１９】
さて、いま例えば頻繁に設定内容の変更が行われるメニュー画面が表示されている状態（ステップＳ５ａ）で、設定者が調整スイッチ群１５のうちのチェックボタンを押下したとする。そうすると、ＣＰＵ３２はステップＳ５ｂからステップＳ５ｃに移行し、ここで上記表示中のメインメニュー画面又はサブメニュー画面をショートカットメニューとしてメモリ３３に記憶する。
【００２０】
そして、上記メニュー項目における機能の設定終了後に、当該機能の設定内容を変更するべく設定者が再度ファンクションボタン２１を押下したとする。そうすると、ＣＰＵ３２は図６に示すようにステップＳ６ａからステップＳ６ｂに移行し、ここでメモリ３３に上記ショートカットメニューが登録されているか否かを判定する。そして、上記ショートカットメニューが登録されていると判定された場合には、上記メモリ３３にショートカットメニューとして記憶されたメニュー画面を読み出し、このメニュー表示画面をビューファインダ１３に表示させる。
【００２１】
かくして、目的とするメニュー画面が上位階層のメインメニュー画面を飛び越して即時表示される。したがって、設定者は上ボタン２２、下ボタン２３、右ボタン２４及び左ボタン２５によるメニュー画面の選択表示操作を行うことなく、上記表示されたメニュー画面において即時設定内容の登録変更操作を行うことが可能となる。  
なお、メモリ３３にショートカットメニューが登録されていない場合には、ステップＳ６ｄにおいて通常通り、最上位階層のメニュー画面Ｍ１がメモリ３３から読み出されてビューファインダ１３に表示される。
【００２２】
以上述べたようにこの実施形態では、ショートカットメニューの登録制御機能と、ショートカットメニューの表示制御機能を新たに備えている。そして、階層化された複数のメニュー画面の一つが表示されている状態で、調整スイッチ群１５のチェックボタンが操作されると、上記表示中のメニュー画面をショートカットメニューとしてメモリ３３に記憶している。また、メニュー画面が非表示の状態でファンクションボタン２１が押下された場合に、メモリ３３に上記ショートカットメニューが記憶されているか否かを判定する。そして、ショートカットメニューが記憶されていないと判定された場合には、通常通り最上位階層のメニュー画面を選択してビューファインダ１３に表示させ、一方上記ショートカットメニューが記憶されていると判定された場合には、上記メモリ３３に記憶されたメニュー画面を選択してビューファインダ１３に表示させるようにしている。
【００２３】
したがってこの実施形態によれば、一度設定したメニュー項目の機能について設定のやり直しを行う場合に、設定者は目的とするメニュー画面が表示されるまでに多数のメニュー選択操作を行う必要がなくなり、これにより機能設定のやり直しを簡単かつ短時間に行うことが可能となる。
【００２４】
また、ショートカットメニューの登録用スイッチとして、メニュー画面による機能設定動作中には使用されない調整スイッチ群１５のうちのチェックボタンを使用するようにしている。このため、ショートカットメニューの登録用スイッチとして専用のスイッチを新たに設ける必要がなくなり、これにより装置の操作パネルの複雑化やコストアップを防止することができる。
【００２５】
なお、この発明は、上記実施形態に限定されるものではない。例えば、メモリ３３にショートカットメニューとして記憶されたメニュー画面を、一定時間経過後に自動的に消去するようにしてもよい。このようにすると一度登録したショートカットメニューが半永久的に残留する不具合を解消することができ、他のメニューの機能設定を行う場合に通常通り最上位のメインメニュー画面Ｍ１から表示することが可能となる。
【００２６】
また、ショートカットメニューを複数登録し、これらのショートカットメニューの中から目的とするメニュー画面を選択して表示させるようにしてもよい。
【００２７】
さらに、同一のメニュー項目についての連続機能設定回数をカウントし、所定回数以上連続して同一のメニュー項目について機能設定処理が行われた場合に、当該メニュー項目に対応するメニュー画面をショートカットメニューとして自動的に登録するようにしてもよい。このようにすると、設定者によるショートカットメニューの登録操作を不要又は減少させることができる。
【００２８】
その他、ショートカットメニュー登録用スイッチの種類や、ショートカットメニュー登録制御及びショートカットメニュー表示制御の各手順と内容、メニュー画面の階層構造等についても、この発明の要旨を逸脱しない範囲で種々変形して実施できる。  
要するにこの発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【図面の簡単な説明】
【００２９】
【図１】この発明に係わる撮像装置の一実施形態であるデジタルテレビジョンカメラの外観を示す図。
【図２】図１に示す撮像装置に設けられるメニュー操作器の構成を示す図。
【図３】図１に示した撮像装置の回路構成を示すブロック図。
【図４】図２に示した回路により表示されるメニュー画面の階層構造を示す図。
【図５】図２に示した回路において実行されるショートカットメニュー登録制御の手順と内容を示すフローチャート。
【図６】図２に示した回路において実行されるショートカットメニュー表示制御の手順と内容を示すフローチャート。
【符号の説明】
【００３０】
１…テレビジョンカメラ、１１…本体、１２…レンズ群、１３…ビューファインダ、１４…メニュー操作器、１５…調整スイッチ群、１６…外部入力／出力端子、１７…外部モニタ、２１…ファンクションボタン、２２…上ボタン、２３…下ボタン、２４…右ボタン、２５…左ボタン、２６…ファンクション切替スイッチ群、３１…映像信号処理回路、３２…ＣＰＵ、３３…メモリ、３４…キャラクタジェネレータ、３５…合成器、３６…映像信号出力回路、１７…外部モニタ、Ｍ１〜Ｍ４…メインメニュー画面、Ｓ１１〜Ｓ４５…サブメニュー画面。
【図１】
2006101172.tif 000003
【図２】
2006101172.tif 000004
【図３】
2006101172.tif 000005
【図４】
2006101172.tif 000006
【図５】
2006101172.tif 000007
【図６】
2006101172.tif 000008